(57)【要約】【課題】利用者の作業効率を向上させることができる洗濯機を提供する。【解決手段】洗濯機の制御部(１００)は、コースの運転中、コースの運転の一時停止操作が一時停止操作部に行われたか否かを判定し、コースの運転中、コースの運転の一時停止操作が一時停止操作部に行われたと判定されたとき、コースの運転中に入力部で入力された利用者識別情報と、記憶部(２０)に記憶された利用者識別情報とが一致するか否かを判定し、コースの運転中に入力部で入力された利用者識別情報と、記憶部(２０)に記憶された利用者識別情報とが一致すると判定されたとき、コースの運転を一時停止させると共に、開閉扉を解錠する。【選択図】図６
2015205047.tif 000002
【特許請求の範囲】
【請求項１】
洗濯物を処理するためのコースが利用者によって設定される洗濯機であって、
上記洗濯物を出し入れするための開口部を有する外箱と、
上記外箱の表面に設けられた表示部と、
上記外箱に取り付けられて上記開口部を開閉する開閉扉と、
上記コースの運転中、上記開閉扉を施錠する施錠機構と、
利用者の識別に使用される利用者識別情報を入力するための入力部と、
上記コースの運転が開始する前に上記入力部で入力された利用者識別情報を記憶する記憶部と、
上記コースの運転の一時停止操作をするための一時停止操作部と、
上記施錠機構を制御する制御部と
を備え、
上記制御部は、
上記コースの運転中、上記コースの運転の一時停止操作が上記一時停止操作部に行われたか否かを判定する一時停止操作判定手段と、
上記コースの運転中、上記コースの運転の一時停止操作が上記一時停止操作部に行われたと判定されたとき、上記コースの運転中に上記入力部で入力された利用者識別情報と、上記記憶部に記憶された利用者識別情報とが一致するか否かを判定する利用者識別情報一致判定手段と、
上記コースの運転中に上記入力部で入力された利用者識別情報と、上記記憶部に記憶された利用者識別情報とが一致すると判定されたとき、上記コースの運転を一時停止させると共に、上記開閉扉を解錠する第１解錠手段と
を有することを特徴とする洗濯機。
【請求項２】
請求項１に記載の洗濯機において、
上記コースの運転中に上記入力部で入力された利用者識別情報と、上記記憶部に記憶された利用者識別情報とが一致しないと判定されたとき、上記コースの運転は一時停止しないことを特徴とする洗濯機。
【請求項３】
請求項１または２に記載の洗濯機において、
上記表示部は、上記一時停止操作部の操作によって上記コースの運転が一時停止したとき、この一時停止から経過した時間を表示することを特徴とする洗濯機。
【請求項４】
請求項１から３までのいずれか一項に記載の洗濯機において、
上記表示部は、上記コースの運転がエラーで一時停止したとき、この一時停止から経過した時間を表示することを特徴とする洗濯機。
【請求項５】
請求項１から４までのいずれか一項に記載の洗濯機において、
上記開閉扉の解錠操作をするための解錠操作部を備え、
上記制御部は、上記コースの運転の終了から予め設定された時間が経過するまでの間に、上記解錠操作部が操作されなかったとき、上記開閉扉を解錠する第２解錠手段を有し、
上記表示部は、上記コースの運転が終了したとき、上記第２解錠手段が上記開閉扉を解錠するまでの残り時間を表示することを特徴とする洗濯機。
【発明の詳細な説明】
【技術分野】
【０００１】
この発明は洗濯機に関する。
【背景技術】
【０００２】
従来、洗濯機としては、特許第３７０４４８５号公報(特許文献１)に開示されているように、利用者が料金を支払って使用するものがある。この洗濯機は、洗濯物を出し入れするための開口部を有する外箱と、外箱に取り付けられて開口部を開閉する開閉扉と、開閉扉を施錠する施錠機構とを備える。
【０００３】
上記外箱の開口部近傍の表面には、利用者が所望の暗証番号を入力するためのテンキーボタンが設けられている。
【０００４】
上記構成の洗濯機によれば、利用者は、料金を支払った後、テンキーボタンを使って所望の暗証番号を入力する。そして、利用者が、確認ボタンを押すと、施錠機構が開閉扉を施錠して、洗濯または乾燥の運転が開始される。
【０００５】
上記運転が終了すると、利用者は、運転が開始する前に入力した暗証番号を再び入力して、開閉扉を解錠する。
【先行技術文献】
【特許文献】
【０００６】
【特許文献１】特許第３７０４４８５号公報(図１)
【発明の概要】
【発明が解決しようとする課題】
【０００７】
ところで、上記従来の洗濯機は不特定多数の人が使用することを前提としているため、第三者が故意に運転を一時停止させてしまう事態が想定される。したがって、上記従来の洗濯機では、運転は開始してから終了するまで、一時停止できないのが一般的である。
【０００８】
しかしながら、上記運転の開始後、利用者が洗濯物の入れ忘れに気付いたとき、運転を一時停止させることができないので、入れ忘れた洗濯物は次の運転で処理することになって、利用者の作業効率が低下するという問題が生じてしまう。
【０００９】
そこで、この発明の課題は、利用者の作業効率を向上させることができる洗濯機を提供することにある。
【課題を解決するための手段】
【００１０】
上記課題を解決するため、この発明の洗濯機は、
洗濯物を処理するためのコースが利用者によって設定される洗濯機であって、
上記洗濯物を出し入れするための開口部を有する外箱と、
上記外箱の表面に設けられた表示部と、
上記外箱に取り付けられて上記開口部を開閉する開閉扉と、
上記コースの運転中、上記開閉扉を施錠する施錠機構と、
利用者の識別に使用される利用者識別情報を入力するための入力部と、
上記コースの運転が開始する前に上記入力部で入力された利用者識別情報を記憶する記憶部と、
上記コースの運転の一時停止操作をするための一時停止操作部と、
上記施錠機構を制御する制御部と
を備え、
上記制御部は、
上記コースの運転中、上記コースの運転の一時停止操作が上記一時停止操作部に行われたか否かを判定する一時停止操作判定手段と、
上記コースの運転中、上記コースの運転の一時停止操作が上記一時停止操作部に行われたと判定されたとき、上記コースの運転中に上記入力部で入力された利用者識別情報と、上記記憶部に記憶された利用者識別情報とが一致するか否かを判定する利用者識別情報一致判定手段と、
上記コースの運転中に上記入力部で入力された利用者識別情報と、上記記憶部に記憶された利用者識別情報とが一致すると判定されたとき、上記コースの運転を一時停止させると共に、上記開閉扉を解錠する第１解錠手段と
を有することを特徴としている。
【００１１】
一実施形態の洗濯機では、
上記コースの運転中に上記入力部で入力された利用者識別情報と、上記記憶部に記憶された利用者識別情報とが一致しないと判定されたとき、上記コースの運転は一時停止しない。
【００１２】
一実施形態の洗濯機では、
上記表示部は、上記一時停止操作部の操作によって上記コースの運転が一時停止したとき、この一時停止から経過した時間を表示する。
【００１３】
一実施形態の洗濯機では、
上記表示部は、上記コースの運転がエラーで一時停止したとき、この一時停止から経過した時間を表示する。
【００１４】
一実施形態の洗濯機では、
上記開閉扉の解錠操作をするための解錠操作部を備え、
上記制御部は、上記コースの運転の終了から予め設定された時間が経過するまでの間に、上記解錠操作部が操作されなかったとき、上記開閉扉を解錠する第２解錠手段を有し、
上記表示部は、上記コースの運転が終了したとき、上記第２解錠手段が上記開閉扉を解錠するまでの残り時間を表示する。
【発明の効果】
【００１５】
この発明の洗濯機によれば、上記一時停止操作判定手段、利用者識別情報一致判定手段および第１解錠手段によって、外箱内に入れ忘れた洗濯物を、一時停止させた運転で処理できるので、作業効率の低下を防ぐことができる。
【００１６】
また、上記利用者識別情報一致判定手段により、コースの運転が誤操作や悪戯で一時停止するのを防止することができる。
【図面の簡単な説明】
【００１７】
【図１】図１はこの発明の第１実施形態の業務用洗濯乾燥機の概略斜視図である。
【図２】図２は上記業務用洗濯機の模式断面図である。
【図３】図３は上記業務用洗濯機の操作表示部の拡大概略図である。
【図４】図４は上記業務用洗濯機の操作表示部の拡大概略図である。
【図５】図５は上記業務用洗濯機の操作表示部の拡大概略図である。
【図６】図６は上記業務用洗濯機の制御ブロック図である。
【図７Ａ】図７Ａは上記業務用洗濯機の制御部の制御を説明するためのフローチャートである。
【図７Ｂ】図７Ｂは図７Ａに続くフローチャートである。
【図７Ｃ】図７Ｃは図７Ｂに続くフローチャートである。
【図７Ｄ】図７Ｄは図７Ｃに続くフローチャートである。
【図７Ｅ】図７Ｅは図７Ｂに続くフローチャートである。
【図７Ｆ】図７Ｆは図７Ｅに続くフローチャートである。
【発明を実施するための形態】
【００１８】
以下、この発明の洗濯機を図示の実施の形態により詳細に説明する。
【００１９】
〔第１実施形態〕
図１は、この発明の第１実施形態の業務用洗濯乾燥機を斜め上方から見た概略図である。
【００２０】
上記業務用洗濯乾燥機は、洗濯物を出し入れするための外箱開口部２を前面部に有する外箱１を備え、利用者から料金を受領して、洗濯物を洗濯または乾燥させる。
【００２１】
上記外箱１の前面には、外箱開口部２を開閉する開閉扉３をヒンジで左右方向に回動可能に取り付けている。外箱開口部２を開閉扉３で閉鎖しているときに、ドア開ボタン４を押すと、図示しない付勢部材の付勢力によって、開閉扉３が少し開くようになっている。また、外箱１の前面の上部には、洗剤・柔軟剤投入部５および操作表示部６が設けられている。なお、外箱開口部２は開口部の一例である。
【００２２】
上記外箱１の上面上には、料金徴収ユニット７が搭載されている。この料金徴収ユニット７の前面には硬貨投入口８および硬貨戻り口９が設けられている。また、硬貨戻り口９からは、硬貨投入口８に投入した硬貨、または、釣り銭の硬貨が出るようになっている。
【００２３】
上記硬貨戻り口９の下側にはセキュリティカバー１０が設けられている。このセキュリティカバー１０の後側には暗証番号使用設定ボタン１１が設けられている。暗証番号使用設定ボタン１１を押すことにより、後述する暗証番号が利用者の識別に使用されるように設定したり、暗証番号が利用者の識別に使用されないように設定したりすることができるようになっている。また、暗証番号使用設定ボタン１１を押す場合、セキュリティカバー１０を開かないといけないが、セキュリティカバー１０には鍵がかけられている。そして、セキュリティカバー１０を開くための鍵は、通常、上記業務用洗濯乾燥機のオーナが持つ。なお、上記暗証番号は利用者識別情報の一例である。
【００２４】
図２は、上記業務用洗濯乾燥機を鉛直面で切った断面の模式図である。
【００２５】
上記業務用洗濯乾燥機は、外箱１内に配置された水槽１２と、この水槽１２内に回転自在に配置され、洗濯物１６を収容するドラム１３と、このドラム１３を回転駆動するモータ１４と、外箱１内に配置されたヒートポンプユニット１５とを備える。
【００２６】
上記水槽１２の前面には、外箱開口部２に対向する水槽開口部１７が設けられている。この水槽１２は、開閉扉３を閉じることにより、水密かつ気密が保たれるようになっている。
【００２７】
上記ドラム１３は、水槽開口部１７に対向するドラム開口部１８を前面に有する。また、ドラム１３は、前側が後側よりも上になるように水平方向に対して傾斜する中心軸Ｊを有している。また、ドラム１３の周面および底面には、それぞれ、水槽１２とドラム１３の間の空間と、ドラム１３内の空間とを連通させる複数の貫通孔(図示せず)が形成されている。これにより、吸気口２５から吹き出る高温低湿の空気は、矢印Ｙで示すように、ドラム１３の底面の貫通孔を通ってドラム１３内に流入できるようになっている。また、上記高温低湿の空気はドラム１３内の洗濯物１６に当たって低温高湿の空気になった後、矢印Ｚで示すように、ドラム１３の周面の貫通孔から、水槽１２とドラム１３の間の空間へ抜け、水槽１２の排気口２２から空気循環ダクト２３内に流入し、ヒートポンプユニット１５へ向かって流れる。また、上記低温高湿の空気はヒートポンプユニット１５で高温低湿に変えられた後、送風ダクト２４内を吸気口２５に向かって流れる。
【００２８】
上記ヒートポンプユニット１５は、冷媒を圧縮して冷媒の温度を上昇させる圧縮機１５１と、この圧縮機１５１によって圧縮された冷媒と空気とを熱交換させることによって空気を加熱する凝縮器１５２と、この凝縮器１５２で空気と熱交換した冷媒の圧力を減圧する膨張弁１５３と、この減圧された冷媒と空気とを熱交換させることによって空気を冷却する蒸発器１５４とを有している。この圧縮機１５１、凝縮器１５２、膨張弁１５３および蒸発器１５４の順に冷媒を循環させるため、圧縮機１５１、凝縮器１５２、膨張弁１５３および蒸発器１５４には冷媒配管１５５が接続している。また、冷媒配管１５５には、圧縮機１５１から凝縮器１５２へ向かう冷媒の温度を検出するための温度センサ１５７が取り付けられている。
【００２９】
また、上記ヒートポンプユニット１５は、外箱１内の後側かつ下側に配置されている。このヒートポンプユニット１５の上流側の部分は、空気循環ダクト２３を介して水槽１２の排気口２２に接続されている。また、ヒートポンプユニット１５の下流側の部分は、送風機１９および送風ダクト２４を介して水槽１２の吸気口２５に接続されている。
【００３０】
なお、図１の１５６は、圧縮機１５１、凝縮器１５２、膨張弁１５３および蒸発器１５４、冷媒配管１５５および温度センサ１５７を収容するケーシングである。
【００３１】
図３は、上記操作表示部６を拡大した概略図である。
【００３２】
上記操作表示部６は、ドラム洗浄ボタン６１、第１〜第４コースボタン６２〜６５、ロック解除ボタン６６、暗証番号設定部６７および表示部７１を有している。なお、ロック解除ボタン６６は、一時停止操作部の一例と、解錠操作部の一例とを兼ねる。
【００３３】
上記ドラム洗浄ボタン６１は、洗濯物を洗濯または乾燥する前に、ドラム１３を洗浄するためのボタンである。すなわち、利用者は、硬貨投入口８に硬貨を投入しなくても、ドラム洗浄ボタン６１を押すことで、ドラム１３を洗浄することができるようになっている。このドラム１３の洗浄は、銀イオンを含む水道水で例えば１分間行われる。
【００３４】
上記第１〜第５コースボタン６２〜６５は、洗濯と乾燥の少なくとも一方に対応するコースを設定するためのボタンである。より詳しくは、利用者は、第１コースボタン６２を押すことで、予め設定された標準量の洗濯物に、洗い工程、すすぎ工程、脱水工程および乾燥工程を行うためのコースを設定できるようになっている。また、利用者は、第２コースボタン６３を押すことで、予め設定された少量の洗濯物に、洗い工程、すすぎ工程、脱水工程および乾燥工程を行うためのコースを設定できるようになっている。また、利用者は、第３コースボタン６４を押すことで、洗濯物に、洗い工程、すすぎ工程および脱水工程を行うためのコースを設定できるようになっている。また、利用者は、第４コースボタン６５を押すことで、洗濯物に乾燥工程を行うためのコースを設定できるようになっている。
【００３５】
上記ロック解除ボタン６６は、通常、第１〜第５コースボタン６２〜６５で設定されたコースの運転が終了した後、開閉扉３を解錠するときに使用するボタンである。
【００３６】
上記暗証番号設定部６７は、例えば４桁の暗証番号を入力するための数字ボタン群６８と、第１〜第５コースボタン６２〜６５で設定されたコースの運転をスタートさせるためのスタートボタン６９と、数字ボタン群６８で入力された暗証番号を消去するためのクリアボタン７０とを含んでいる。また、利用者が数字ボタン群６８で入力した４桁の暗証番号は、スタートボタン６９が押されることで確定して、フラッシュメモリ２０(図６に示す)に記憶される。なお、数字ボタン群６８は入力部の一例である。
【００３７】
上記表示部７１は、硬貨投入口８に投入された硬貨の合計金額を表示したり、第１〜第５コースボタン６２〜６５で設定されたコースの運転が後何分で終了するのかを示す時間(残り時間)を表示したりする。また、表示部７１は、上記コースの運転が一時停止したとき、図３に示すような「−−−−」と、上記コースの運転の一時停止から経過した時間とを交互に表示する。また、表示部７１は、上記コースの運転が終了したとき、図４に示すような「Ｅｎｄ」と、開閉扉３が自動的に解錠されるまでの残り時間とを交互に表示する。
【００３８】
図６は上記業務用洗濯乾燥機の制御ブロック図である。
【００３９】
上記業務用洗濯乾燥機は、暗証番号を記憶するフラッシュメモリ２０と、開閉扉３を施錠する施錠機構２１と、制御部１００とを備えている。なお、フラッシュメモリ２０は記憶部の一例である。
【００４０】
上記施錠機構２１は、開閉扉３の施錠時あるいは解錠時に通電されると動作するラッチ式の施錠機構である。
【００４１】
上記制御部１００は、数字ボタン群６８で入力された暗証番号と、フラッシュメモリ２０に記憶された暗証番号とが一致するとき、開閉扉３が解錠されるように、施錠機構２１を制御する。例えば、制御部１００は、第１〜第５コースボタン６２〜６５で設定されたコースの運転中に数字ボタン群６８で入力された暗証番号と、フラッシュメモリ２０に記憶された暗証番号とが一致するとき、上記コースの運転を一時停止させると共に、施錠機構２１による開閉扉３の施錠を解除する。また、制御部１００は、上記コースの運転の終了から予め設定された時間が経過するまでの間に、ロック解除ボタン６６が押されなかったとき、開閉扉３を解錠する。
【００４２】
このような制御部１００は、ＣＰＵ(中央処理装置)、ＲＡＭ(ランダム アクセス メモリ)、ＲＯＭ(リード オンリー メモリ)およびタイマなどを有するマイクロコンピュータや、入出力回路などで構成されて、特定の時間(例えばコースの運転の一時停止した時間)から経過した時間を計測できる機能などを有している。また、制御部１００には、操作表示部６、温度センサ１５７、ヒートポンプユニット１５、モータ１４、送風機１９、フラッシュメモリ２０、施錠機構２１などが接続されている。
【００４３】
以下、図７Ａ〜図７Ｆのフローチャートを用いて、制御部１００が行う制御について説明する。
【００４４】
上記制御部１００では、まず、図７Ａに示すように、ステップＳ１０１で、第１〜第５コースボタン６２〜６５のいずれか１つが押され、コースが入力されたか否かを判定する。このステップＳ１０１で、コースが入力されていないと判定すると、再び、ステップＳ１０１を行う。一方、ステップＳ１０１で、コースが入力されたと判定すると、次のステップＳ１０２に進む。
【００４５】
次に、ステップＳ１０２で、上記コースに対応する料金を受領したか否かを判定する。このステップＳ１０２で、上記コースに対応する料金を受領していないと判定すると、ステップＳ１０１に戻る。一方、ステップＳ１０２で、上記コースに対応する料金を受領したと判定すると、次のステップＳ１０３に進む。
【００４６】
次に、ステップＳ１０３で、上記コースに対応する料金を受領したと判定したタイミングから、予め設定された時間(例えば５分)が経過したか否かを判定する。このステップＳ１０３で、上記予め設定された時間が経過したと判定すると、ステップＳ１０４，Ｓ１０５を飛ばして図７ＢのステップＳ１０６に進む。一方、ステップＳ１０３で、上記予め設定された時間が経過していないと判定すると、次の図７ＡのステップＳ１０４に進む。
【００４７】
次に、ステップＳ１０４で、数字ボタン群６８が押されて、４桁の暗証番号が入力されたか否かを判定する。このステップＳ１０４で、４桁の暗証番号が入力されていないと判定すると、ステップＳ１５１に進む。一方、ステップＳ１０４で、４桁の暗証番号が入力されていると判定すると、次の図７ＢのステップＳ１０５に進む。
【００４８】
図７ＡのステップＳ１０４からステップＳ１５１に進んだ場合、スタートボタン６９が押されたか否かを判定する。このステップＳ１５１で、スタートボタン６９が押されていないと判定すると、ステップＳ１０３に戻る。一方、ステップＳ１５１で、スタートボタン６９が押されたと判定すると、図７ＢのステップＳ１０６に進む。
【００４９】
次に、図７Ｂに示すように、ステップＳ１０５で、スタートボタン６９が押されたか否かを判定する。このステップＳ１０５で、スタートボタン６９が押されていないと判定すると、図７ＡのステップＳ１０３に戻る。一方、ステップＳ１０５で、スタートボタン６９が押されたと判定すると、次の図７ＢのステップＳ１０６に進む。
【００５０】
次に、ステップＳ１０６で、施錠機構２１で開閉扉３を施錠する。このとき、ステップＳ１０３またはステップＳ１５１からステップＳ１０６に直接進んでいるなら、フラッシュメモリ２０内の暗証番号を消去する処理が行われる。一方、ステップＳ１０５からステップＳ１０６に直接進んでいるなら、フラッシュメモリ２０内の暗証番号を書き換える処理が行われる。これにより、フラッシュメモリ２０が最新の暗証番号を記憶する。
【００５１】
次に、ステップＳ１０７で、利用者によって設定されたコースの運転を開始させる。これにより、ドラム１３の回転制御などが行われる。
【００５２】
次に、ステップＳ１０８で、上記コースの運転は終了したか否かを判定する。このステップＳ１０８で、上記コースの運転は終了したと判定すると、後述する図７ＥのステップＳ１１９に進む。一方、ステップＳ１０８で、上記コースの運転は終了していないと判定すると、図７ＢのステップＳ１０９に進む。
【００５３】
上記ステップＳ１０８からステップＳ１０９に進んだとき、このステップＳ１０９で、上記コースの運転がエラー(例えば、給水エラー、ドア開エラー、洗濯物偏りエラーなど)で一時停止しているか否かを判定する。このステップＳ１０９で、上記コースの運転がエラーで一時停止していると判定すると、ステップＳ１１０〜Ｓ１１４を飛ばして図７ＤのステップＳ１１５に進む。一方、ステップＳ１０９で、上記コースの運転がエラーで一時停止してないと判定すると、次の図７ＣのステップＳ１１０に進む。
【００５４】
次に、ステップＳ１１０で、ロック解除ボタン６６が押されたか否かを判定する。このステップＳ１１０で、ロック解除ボタン６６が押されていないと判定すると、図７ＢのステップＳ１０８に戻る。一方、ステップＳ１１０で、ロック解除ボタン６６が押されたと判定されると、次の図７ＣのステップＳ１１１に進む。なお、上記コースの運転中にロック解除ボタン６６を押すことは、コースの運転の一時停止操作の一例である。
【００５５】
次に、ステップＳ１１１で、フラッシュメモリ２０内に暗証番号が記憶されているか否かを判定する。このステップＳ１１１で、フラッシュメモリ２０内に暗証番号が記憶されていないと判定すると、ステップＳ１６１で開閉扉３を解錠した後、図７ＤのステップＳ１１５に進む。一方、フラッシュメモリ２０内に暗証番号が記憶されていると判定すると、次の図７ＣのステップＳ１１２に進む。
【００５６】
次に、ステップＳ１１２で、上記コースの運転中に数字ボタン群６８が押されて、４桁の暗証番号が入力されたか否かを判定する。このステップＳ１１２で、４桁の暗証番号が入力されていないと判定すると、ステップＳ１１０に戻る。一方、ステップＳ１１２で、４桁の暗証番号が入力されていると判定すると、次のステップＳ１１３に進む。
【００５７】
次に、ステップＳ１１３で、上記コースの運転中に数字ボタン群６８で入力された暗証番号と、フラッシュメモリ２０に記憶された暗証番号とが一致するか否かを判定する。このステップＳ１１３で、上記コースの運転中に数字ボタン群６８で入力された暗証番号と、フラッシュメモリ２０に記憶された暗証番号とが一致しないと判定すると、ステップＳ１１０に戻る。一方、ステップＳ１１３で、上記コースの運転中に数字ボタン群６８で入力された暗証番号と、フラッシュメモリ２０に記憶された暗証番号とが一致すると判定すると、次の図７ＤのステップＳ１１４に進む。
【００５８】
次に、ステップＳ１１４で、上記コースの運転を一時停止させると共に、開閉扉３を解錠する。
【００５９】
次に、ステップＳ１１５で、上記コースの運転の一時停止から経過した時間の表示を開始する。具体的に言うと、表示部７１に、図３に示すような「−−−−」と、図５に示すような時間とを交互に表示させる。このとき、表示部７１は、利用者がロック解除ボタン６６を押したことでコースの運転が一時停止してから経過した時間、または、エラーでコースの運転が一時停止してから経過した時間を表示する。
【００６０】
次に、ステップＳ１１６で、スタートボタン６９が押されたか否かを判定する。このステップＳ１１６で、スタートボタン６９が押されていないと判定すると、再び、ステップＳ１１６を行う。一方、ステップＳ１１６で、スタートボタン６９が押されたと判定すると、次のステップＳ１１７に進む。
【００６１】
次に、ステップＳ１１７で、上記コースの運転の一時停止から経過した時間の表示を終了する。これにより、表示部７１は、利用者がロック解除ボタン６６を押したことでコースの運転が一時停止してから経過した時間、または、エラーでコースの運転が一時停止してから経過した時間を表示しなくなる。
【００６２】
次に、ステップＳ１１８で、上記コースの運転を再開して、図７ＢのステップＳ１０８に戻る。
【００６３】
一方、上記ステップＳ１０８から図７ＥのステップＳ１１９に進んだとき、このステップＳ１１９で、フラッシュメモリ２０内に暗証番号が記憶されているか否かを判定する。このステップＳ１１９で、フラッシュメモリ２０内に暗証番号が記憶されていないと判定すると、ステップＳ１２０〜Ｓ１２５を飛ばしてステップＳ１２６に進む。一方、ステップＳ１１９で、フラッシュメモリ２０内に暗証番号が記憶されていると判定すると、次のステップＳ１２０に進む。
【００６４】
次に、ステップＳ１２０で、開閉扉３の自動解錠までの残り時間の表示を開始する。より詳しくは、表示部７１に、図４に示すような「Ｅｎｄ」と、図５に示すような時間とを交互に表示させる。このとき、表示部７１は、現時点から、開閉扉３が自動的に解錠されるまでの時間を表示する。なお、開閉扉３の自動的な解錠は、上記コースの運転の終了後、ロック解除ボタン６６が押されないで、予め設定された時間が経過したときに、制御部１００によって行われる。
【００６５】
次に、ステップＳ１２１で、上記コースの運転が終了してから、上記予め設定された時間が経過したか否かを判定する。このステップＳ１２１で、上記予め設定された時間が経過したと判定すると、ステップＳ１７１で上記残り時間の表示を終了した後、後述の図７ＦのステップＳ１２６に進む。一方、ステップＳ１２１で、上記予め設定された時間が経過していないと判定すると、次の図７ＥのステップＳ１２２に進む。
【００６６】
次に、ステップＳ１２２で、ロック解除ボタン６６が押されたか否かを判定する。このステップＳ１２２で、ロック解除ボタン６６が押されていないと判定すると、ステップＳ１２１に戻る。一方、ステップＳ１２２で、ロック解除ボタン６６が押されたと判定されると、次の図７ＦのステップＳ１２３に進む。
【００６７】
次に、ステップＳ１２３で、上記コースの運転の終了後に数字ボタン群６８が押されて、４桁の暗証番号が入力されたか否かを判定する。このステップＳ１２３で、４桁の暗証番号が入力されていないと判定すると、図７ＥのステップＳ１２１に戻る。一方、ステップＳ１２３で、４桁の暗証番号が入力されていると判定すると、次のステップＳ１２４に進む。
【００６８】
次に、ステップＳ１２４で、上記コースの運転の終了後に数字ボタン群６８で入力された暗証番号と、フラッシュメモリ２０に記憶された暗証番号とが一致するか否かを判定する。このステップＳ１２４で、上記コースの運転の終了後に数字ボタン群６８で入力された暗証番号と、フラッシュメモリ２０に記憶された暗証番号とが一致しないと判定すると、図７ＥのステップＳ１２１に戻る。一方、ステップＳ１２４で、上記コースの運転の終了後に数字ボタン群６８で入力された暗証番号と、フラッシュメモリ２０に記憶された暗証番号とが一致すると判定すると、次の図７ＦのステップＳ１２５に進む。
【００６９】
次に、ステップＳ１２５で、開閉扉３の自動解錠までの残り時間の表示を終了する。
【００７０】
最後に、ステップＳ１２６で、開閉扉３を解除する。これにより、利用者は、開閉扉３を開けて、ドラム３内の洗濯物１６を取り出せるようになる。
【００７１】
この実施形態では、ステップＳ１１０は一時停止操作判定手段の一例、ステップＳ１１３は利用者識別情報一致判定手段の一例、ステップＳ１１４は第１解錠手段の一例、ステップＳ１２６は第２解錠手段の一例である。
【００７２】
このように、上記コースの運転中にロック解除ボタン６６および数字ボタン群６８を適切に操作することにより、コースの運転が一時停止し、開閉扉３が解錠する。したがって、利用者が上記コースの運転中に洗濯物の入れ忘れに気付けば、ドラム１３内に上記洗濯物を入れることができる。その結果、上記洗濯物の入れ忘れに気付いたときのコースの運転で上記洗濯物を処理できるので、作業効率の低下を防ぐことができる。
【００７３】
また、上記コースの運転中に数字ボタン群６８で入力された識別番号と、フラッシュメモリ２０に記憶された識別番号とが一致しなければ、上記コースの運転が一時停止しない。したがって、上記コースの運転が誤操作または悪戯で一時停止するのを防ぐことができる。
【００７４】
また、上記コースの運転が一時停止したとき、表示部７１が、上記コースの運転の一時停止から経過した時間を表示する。したがって、上記業務用洗濯乾燥機のオーナは、上記コースの運転の一時停止から経過した時間を確認できるので、その一時停止を強制的に解除するか否かの判断を適切に行うことができる。
【００７５】
また、上記表示部７１は、上記コースの運転が終了したとき、開閉扉３の自動的な解錠までの残り時間を表示する。これにより、次の利用者は、最大でどれくらいの時間を待てば、上記業務用洗濯乾燥機が利用できるようになるのかを把握できる。したがって、上記業務用洗濯乾燥機が利用されていない時間が短くなり、洗濯機の利用効率を上げることができる。
【００７６】
また、上記暗証番号使用設定ボタン１１がオンされた場合、暗証番号の入力が受け付けられる一方、暗証番号使用設定ボタン１１がオフされた場合、暗証番号の入力が受け付けられなくなる。したがって、上記業務用洗濯乾燥機の利用範囲は広い。
【００７７】
上記第１実施形態において、コースの運転の一時停止から経過した時間の表示が行われないようにしてもよい。
【００７８】
上記第１実施形態において、開閉扉３の自動解錠までの残り時間が表示されないようにしてもよい。
【００７９】
上記第１実施形態において、コースの終了から予め設定された時間が経過しても、開閉扉３が自動的に解錠しないようにしてもよい。
【００８０】
〔第２実施形態〕
この発明の第２実施形態の業務用洗濯乾燥機は、料金徴収ユニット７の換わりに、紙幣、プリペイドカード、電子マネーカードなどで、コースに対応する料金を受領可能な料金徴収ユニットを備える点だけが、上記第１実施形態と異なる。
【００８１】
〔第３実施形態〕
この発明の第３実施形態の業務用洗濯乾燥機は、利用者が設定したコースに対応する料金を受領しなくても、そのコースの運転が開始されるようにした点だけが、上記第１実施形態と異なる。
【００８２】
〔第４実施形態〕
この発明の第４実施形態の業務用洗濯乾燥機は、アルファベットまたは記号を利用者識別情報の一例として用いられる点だけが、上記第１実施形態と異なる。
【００８３】
〔第５実施形態〕
この発明の第５実施形態の業務用洗濯乾燥機は、指紋、虹彩、声紋などの生態情報を利用者識別情報の一例として用いられる点だけが、上記第１実施形態と異なる。
【００８４】
〔第６実施形態〕
この発明の第６実施形態の業務用洗濯乾燥機は、「暗証番号不要」の文字が書かれたボタンが操作表示部に設けられている点だけが、上記第１実施形態と異なる。このボタンが押された場合、コースに対応する料金を受領したと判定したタイミングから予め設定された時間が経過してなくても、利用者に設定されたコースの運転が開始するようにしてもよい。
【００８５】
〔第７実施形態〕
この発明の第７実施形態の業務用洗濯乾燥機は、揮発性メモリの一例であるダイナミックランダムアクセスメモリに暗証番号を記憶させる点だけが、上記第１実施形態と異なる。
【００８６】
この発明の具体的な実施形態および変形例について説明したが、この発明は上記実施形態および変形例に限定されるものではなく、この発明の範囲内で種々変更して実施することができる。例えば、上記第１〜第７実施形態を適宜組み合わせたものを、この発明の一実施形態としてもよい。また、この発明は、ドラム式洗濯乾燥機のみならず、例えば、乾燥機能を有する縦型洗濯乾燥機や、乾燥機能を有さないドラム式洗濯機および縦型洗濯機などにも適用できる。
【００８７】
すなわち、この発明および実施形態を纏めると、次のようになる。
【００８８】
上記課題を解決するため、この発明の洗濯機は、
洗濯物１６を処理するためのコースが利用者によって設定される洗濯機であって、
上記洗濯物１６を出し入れするための開口部２を有する外箱１と、
上記外箱１の表面に設けられた表示部７１と、
上記外箱１に取り付けられて上記開口部２を開閉する開閉扉３と、
上記コースの運転中、上記開閉扉３を施錠する施錠機構２１と、
利用者の識別に使用される利用者識別情報を入力するための入力部６８と、
上記コースの運転が開始する前に上記入力部６８で入力された利用者識別情報を記憶する記憶部２０と、
上記コースの運転の一時停止操作をするための一時停止操作部６６と、
上記施錠機構２１を制御する制御部１００と
を備え、
上記制御部１００は、
上記コースの運転中、上記コースの運転の一時停止操作が上記一時停止操作部６６に行われたか否かを判定する一時停止操作判定手段Ｓ１１０と、
上記コースの運転中、上記コースの運転の一時停止操作が上記一時停止操作部６６に行われたと判定されたとき、上記コースの運転中に上記入力部６８で入力された利用者識別情報と、上記記憶部２０に記憶された利用者識別情報とが一致するか否かを判定する利用者識別情報一致判定手段Ｓ１１３と、
上記コースの運転中に上記入力部６８で入力された利用者識別情報と、上記記憶部２０に記憶された利用者識別情報とが一致すると判定されたとき、上記コースの運転を一時停止させると共に、上記開閉扉３を解錠する第１解錠手段Ｓ１１４と
を有することを特徴としている。
【００８９】
上記構成によれば、上記一時停止操作判定手段Ｓ１１０は、コースの運転中、コースの運転の一時停止操作が一時停止操作部６６に行われたか否かを判定する。また、上記利用者識別情報一致判定手段Ｓ１１３は、コースの運転中、コースの運転の一時停止操作が一時停止操作部６６に行われたと判定されたとき、コースの運転中に入力部６８で入力された利用者識別情報と、記憶部２０に記憶された利用者識別情報とが一致するか否かを判定する。そして、上記第１解錠手段Ｓ１１４は、コースの運転中に入力部６８で入力された利用者識別情報と、記憶部２０に記憶された利用者識別情報とが一致すると判定されたとき、コースの運転を一時停止させると共に、施錠機構２１による開閉扉３の施錠を解除する。
【００９０】
したがって、上記コースの運転中に一時停止操作部６６および入力部６８を適切に操作することにより、コースの運転を一時停止させることができ、施錠機構２１による開閉扉３の施錠も解除することができる。その結果、上記外箱１内に入れ忘れた洗濯物１６を、一時停止させた運転で処理できるので、作業効率の低下を防ぐことができる。
【００９１】
一実施形態の洗濯機では、
上記コースの運転中に上記入力部６８で入力された利用者識別情報と、上記記憶部２０に記憶された利用者識別情報とが一致しないと判定されたとき、上記コースの運転は一時停止しない。
【００９２】
上記実施形態によれば、上記利用者識別情報の一致が得られないとき、コースの運転は一時停止しないので、コースの運転が誤操作または悪戯で一時停止するのを防ぐことができる。
【００９３】
一実施形態の洗濯機では、
上記表示部７１は、上記一時停止操作部６６の操作によって上記コースの運転が一時停止したとき、この一時停止から経過した時間を表示する。
【００９４】
上記実施形態によれば、上記表示部７１は、一時停止操作部６６の操作によってコースの運転が一時停止したとき、この一時停止から経過した時間を表示する。これにより、第三者は、コースの運転の一時停止から経過した時間を確認できるので、コースの運転の一時停止を強制的に解除するか否かの判断を適切に行うことができる。
【００９５】
一実施形態の洗濯機では、
上記表示部７１は、上記コースの運転がエラーで一時停止したとき、この一時停止から経過した時間を表示する。
【００９６】
上記実施形態によれば、上記表示部７１は、コースの運転がエラーで一時停止したとき、この一時停止から経過した時間を表示する。これにより、第三者は、コースの運転の一時停止から経過した時間を確認できるので、コースの運転の一時停止を強制的に解除するか否かの判断を適切に行うことができる。
【００９７】
一実施形態の洗濯機では、
上記開閉扉３の解錠操作をするための解錠操作部６６を備え、
上記制御部１００は、上記コースの運転の終了から予め設定された時間が経過するまでの間に、上記解錠操作部６６が操作されなかったとき、上記開閉扉３を解錠する第２解錠手段Ｓ１２６を有し、
上記表示部７１は、上記コースの運転が終了したとき、上記第２解錠手段Ｓ１２６が上記開閉扉３を解錠するまでの残り時間を表示する。
【００９８】
上記実施形態によれば、上記表示部７１は、コースの運転が終了したとき、第２解錠手段Ｓ１２６が開閉扉３を解錠するまでの残り時間を表示する。これにより、次の利用者は、最大でどれくらいの時間を待てば、洗濯機が利用できるようになるのかを把握できる。したがって、上記洗濯機が利用されていない時間が短くなり、洗濯機の利用効率を上げることができる。
【符号の説明】
【００９９】
１  外箱
２  外箱開口部
３  開閉扉
６  操作表示部
１６  洗濯物
２０  フラッシュメモリ
２１  施錠機構
６６  ロック解除ボタン
７１  表示部
１００  制御部
【図１】
2015205047.tif 000003
【図２】
2015205047.tif 000004
【図３】
2015205047.tif 000005
【図４】
2015205047.tif 000006
【図５】
2015205047.tif 000007
【図６】
2015205047.tif 000008
【図７Ａ】
2015205047.tif 000009
【図７Ｂ】
2015205047.tif 000010
【図７Ｃ】
2015205047.tif 000011
【図７Ｄ】
2015205047.tif 000012
【図７Ｅ】
2015205047.tif 000013
【図７Ｆ】
2015205047.tif 000014